(57)【要約】【課題】障子が全閉または全開でない状態でも、この障子と網戸との間から虫等が室内に侵入してくるのを防止することができる開口部装置および網戸を提供する。【解決手段】上枠、下枠および左右の縦枠からなる枠体４６と、この枠体４６に移動自在に設けられた網戸４７と、枠体４６に移動自在に設けられた障子４８とを備え、網戸４７は、上桟、下桟および左右の縦桟とからなる網戸枠５５と、この網戸枠５５内に設けられた網５６と、網戸枠５５に設けられた少なくとも１つの中縦桟５８、５９と、この中縦桟５８、５９に縦方向に連続して設けられ、障子４８を開けたときにこの障子４８の縦框６３と中縦桟５８、５９との隙間を塞ぐ防虫部材８８、８８とを備えている。【選択図】　　　図２
2004137802.tif 000002
【特許請求の範囲】
【請求項１】
上枠、下枠および左右の縦枠からなる枠体と、この枠体に移動自在に設けられた網戸と、前記枠体に移動自在に設けられた障子とを備え、前記網戸は、上桟、下桟および左右の縦桟とからなる網戸枠と、この網戸枠内に設けられた網と、前記網戸枠に設けられた少なくとも１つの中縦桟と、この中縦桟に縦方向に連続して設けられ、前記障子を開けたときにこの障子の縦框と中縦桟との隙間を塞ぐ防虫部材とを備えていることを特徴とする開口部装置。
【請求項２】
前記中縦桟および前記防虫部材は、前記網戸枠の左右両端部に設けられていること特徴とする請求項１に記載の開口部装置。
【請求項３】
上桟、下桟および左右の縦桟とからなる網戸枠と、この網戸枠内に設けられた網と、前記網戸枠に設けられた少なくとも１つの中縦桟と、この中縦桟に縦方向に連続して設けられた防虫部材とを備えていることを特徴とする網戸。
【請求項４】
前記中縦桟および前記防虫部材は、前記網戸枠の左右両端部に設けられていること特徴とする請求項３に記載の網戸。
【発明の詳細な説明】
【０００１】
【発明の属する技術分野】
本発明は、開口部装置および網戸に関する。
【０００２】
【従来の技術】
図８および図９は、従来の引違いサッシ（開口部装置）を示す横断面図および縦断面図である。この２枚建ての引違いサッシは、上枠２、下枠３および左右の縦枠４、５からなる枠体６と、この枠体６に水平移動自在に設けられた網戸７、外障子８および内障子９とを備えている。網戸７は、図１０にも示すように、上桟１１、下桟１２および左右の縦桟１３、１４とからなる網戸枠１５と、この網戸枠１５内に設けられた網１６と、網戸枠１５に取り付けられた横中桟１７とを備えている。外障子８は、上框２１、下框２２および左右の縦框２３、２４からなる框２５と、框２５内に組み込まれたガラス等のパネル体２６とを備えている。網戸７、外障子８および内障子９は、枠体６に屋外側から屋内側にこの順に配置されて、上枠２および下枠３に形成されたレールに、水平移動自在に支持されている。
【０００３】
また、網戸７の左右の縦桟１３、１４にはそれぞれ、モヘア１８が縦方向に連続して設けられており、外障子８を全開または全閉したときに、これらのモヘア１８が外障子８の左右の縦框２３、２４に接してこの縦框２３，２４と網戸７の縦桟１３、１４との隙間を塞いで、この隙間から虫等が室内に入ってこないようになっている。
なお、この従来の引違いサッシは、慣用されているものであるので、先行技術文献情報は特に記載しない。
【０００４】
【発明が解決しようとする課題】
しかしながら、この従来の引違いサッシにおいては、図１１に示すように、網戸７が外障子８側にある場合に、外障子８を全開しないで途中まで開けると、網戸７の引違いサッシの中央側の縦桟１４（同図においては右側の縦桟１４）が外障子８のパネル体２６に対向するように位置する。そうすると、縦桟１４のモヘア１８がパネル体２６に接しないので、モヘア１８とパネル体２６との間に隙間ができ、この隙間から虫等が室内に侵入するという問題がある。
【０００５】
また、この問題は、図１２に示すような４枚建ての引違いサッシにおいても生じる。すなわち、網戸７、７が外障子８、８側にある場合に、外障子８、８をそれぞれ全開しないで途中まで開けると、網戸７、７の引違いサッシの中央側の縦桟１４、１３がそれぞれ、外障子８、８のパネル体２６、２６に対向するように位置し、モヘア１８、１８とパネル体２６、２６との間の隙間からそれぞれ、虫等が室内に侵入してしまう。
【０００６】
さらに、外障子８を全開にすると、外障子８と内障子９との間に指を挟んだり、あるいは外障子８の縦框２３に大きな取っ手が設けられている場合に、この取っ手が内障子９の縦框３１に強く衝突する虞があるので、外障子８にストッパを設けて、外障子８に引き残しが生じるようにすることがあるが、この場合にも、網戸７の縦桟１４が外障子８のパネル体２６に対向するように位置するので、上述の場合と同様に、モヘア１８とパネル体２６との間の隙間から虫等が室内に侵入するという問題がある。
【０００７】
なお、図１１および図１２において、外障子８の縦框２３、２４にはそれぞれ、面内方向外側の端面に室内側に向けて突出するゴム等のパッキンなどからなる防虫部材２８が縦方向に連続して取り付けられ、これらの部材が外障子８の縦框２３、２４と内障子９のパネル体３２との間の隙間を塞いで、これらの間から虫等が室内に入ってこないようにすることができるようになっている。
【０００８】
本発明は、上記事情に鑑みて為されたもので、障子が全閉または全開でない状態でも、この障子と網戸との間から虫等が室内に侵入してくるのを防止することができる開口部装置および網戸を提供することを目的とする。
【０００９】
【課題を解決するための手段】
上記目的を達成するために、請求項１に記載の開口部装置は、上枠、下枠および左右の縦枠からなる枠体と、この枠体に移動自在に設けられた網戸と、前記枠体に移動自在に設けられた障子とを備え、前記網戸は、上桟、下桟および左右の縦桟とからなる網戸枠と、この網戸枠内に設けられた網と、前記網戸枠に設けられた少なくとも１つの中縦桟と、この中縦桟に縦方向に連続して設けられ、前記障子を開けたときにこの障子の縦框と中縦桟との隙間を塞ぐ防虫部材とを備えていることを特徴とする。
【００１０】
請求項２に記載の開口部装置は、請求項１に記載の発明において、前記中縦桟および前記防虫部材は、前記網戸枠の左右両端部に設けられていること特徴とする。
【００１１】
請求項３に記載の網戸は、上桟、下桟および左右の縦桟とからなる網戸枠と、この網戸枠内に設けられた網と、前記網戸枠に設けられた少なくとも１つの中縦桟と、この中縦桟に縦方向に連続して設けられた防虫部材とを備えていることを特徴とする。
【００１２】
請求項４に記載の網戸は、請求項３に記載の発明において、前記中縦桟および前記防虫部材は、前記網戸枠の左右両端部に設けられていること特徴とする。
【００１３】
請求項１および請求項３に記載の発明においては、障子を開けて、障子が全閉でも全開でないときに、この障子の縦框が網戸の中縦桟に対向して位置し、中縦桟の防虫部材が縦框と中縦桟との間の隙間を塞いで、この隙間から虫等が室内に入ってこない。
【００１４】
請求項２および請求項４に記載の発明においては、障子を少し開けたとき、および障子に引き残しが生じるときにそれぞれ、障子の縦框が網戸の左右両端部の中縦桟に対向して位置し、各中縦桟の防虫部材が縦框と各中縦桟との間の隙間を塞いで、これらの隙間から虫等が室内に入ってこない。
【００１５】
【発明の実施の形態】
以下、添付した図面を参照しながら、本発明の実施の形態を説明する。
図１乃至図３は、本発明の実施の形態に係る引違いサッシの一部を示す横縦断面図であって、図１は外障子が全閉の状態の図であり、図２は外障子が少し開いている状態の図であり、図３は外障子が引き残しの状態の図である。図４乃至図６は、本実施の形態に係る網戸を示す図であって、図４は正面図であり、図５は図４のＶ−Ｖ線に沿う拡大断面図であり、図６は図４のＶＩ−ＶＩ線に沿う拡大断面図である。
【００１６】
図１乃至図３に示すように、この２枚建ての引違いサッシ（開口部装置）は、この引違いサッシは、上枠（図示せず）、下枠４３および左右の縦枠４４（右の縦枠は図示せず）からなる方形状の枠体４６と、この枠体４６に水平移動自在に設けられた網戸４７、外障子（障子）４８および内障子４９とを備えている。
【００１７】
網戸４７は、図４乃至図６にも示すように、上桟５１、下桟５２および左右の縦桟５３、５４とからなる方形状の網戸枠５５と、この網戸枠５５内に設けられた網５６と、網戸枠５５の上下方向中央部に取り付けられた横中桟５７と、網戸枠５５の左右方向両端部にそれぞれ取り付けられた中縦桟５８、５９とを備えている。なお、図５において、右側の中縦桟５９は図示を省略している。
【００１８】
外障子４８は、上框（図示せず）、下框６２および左右の縦框６３、６４からなる方形状の框６５と、框６５内に組み込まれたガラス等のパネル体６６とを備えている。左の縦框６３の室内側には、取っ手６７が取り付けられている。また、上框および下框６２にはそれぞれ、左の縦框６３から少し離れた位置に、ストッパ６８が取り付けられている。
【００１９】
内障子４９は、上框（図示せず）、下框７２および左右の縦框７３（右の縦框は図示せず）からなる方形状の框７５と、框７５内に組み込まれたガラス等のパネル体７６とを備えている。
これらの網戸４７、外障子４８および内障子４９は、枠体４６に屋外側から屋内側にこの順に配置されて、上枠および下枠４３に形成されたレールに、水平移動自在に支持されている。
【００２０】
また、網戸４７の左右の縦桟５３、５４にはそれぞれ、モヘア８８が縦方向に連続して設けられており、外障子４８を全開または全閉したときに、これらのモヘア８８が外障子４８の左右の縦框６３、６４に接して、この縦框６３、６４と網戸４７の縦桟５３、５４との隙間を塞いで、この隙間から虫等が室内に入ってこないようになっている。
【００２１】
また、網戸４７の左右の中縦桟５８、５９にもそれぞれ、モヘア（防虫部材）８８が縦方向に連続して設けられている。
これにより、外障子４８を少し開けたときに、左の縦框６３が網戸４７の左の中縦桟５８に対向して位置して、中縦桟５８のモヘア８８が縦框６３に接し、この縦框６３と中縦桟５８との隙間を塞いで、この隙間から虫等が室内に入ってこないようになっている。
また、外障子４８を開けて行くと、ストッパ６８が内障子４９の左の縦框７３に当接して、外障子４８に引き残しが生じ、これにより取っ手６７と内障子４９との間に指を挟んだり、あるいは取っ手６７が内障子４９の縦框７３に強く衝突するのを防止されている。この外障子４８に引き残しがあるときに、左の縦框６３が網戸４７の右の中縦桟５９に対向して位置して、中縦桟５９のモヘア８８が縦框６３に接し、この縦框６３と中縦桟５９との隙間を塞いで、この隙間から虫等が室内に入ってこないようになっている。
【００２２】
なお、外障子４８の縦框７３、７４にそれぞれ、面内方向外側の端面に室内側に向けて突出するゴム等のパッキンなどからなる防虫部材を縦方向に連続して取り付け、これらの防虫部材が外障子４８の縦框７３、７４と内障子４９のパネル体７６との間の隙間から虫等が室内に入ってこないようにすることもでき、このようにすることが望ましい。
【００２３】
このように構成された引違いサッシおよび網戸４７にあっては、網戸４７の左右両端部に中縦桟５８、５９を設け、これらの中縦桟５８、５９にそれぞれモヘヤ８８を設けたので、外障子４８を少し開けたとき、あるいは外障子４８に引き残しがあるときに、これらの中縦桟５８、５９の各モヘア８８が中縦桟５８、５９と外障子４８の縦框６３との間の隙間を塞ぎ、この隙間から虫等が侵入するのを防止することができる。
【００２４】
なお、上述の実施の形態では、網戸４７の左右方向両端部にそれぞれ中縦桟５８、５９を設けたが、これに代えて、中縦桟５８を省略するようにしてもよい。また、図７に示す網戸９７のように、外障子４８の引き残しをなくして、中縦桟５９を省略したものとすることもできる。なお、この網戸９７では、横中桟５７も省略されている。また、中縦桟（防虫部材付き）の個数をさらに増やすようにしてもよい。また、中縦桟の左右方向の位置は、外障子の開け具合に応じて、適宜設定される。
【００２５】
また、防虫部材としてモヘア８８を用いたが、これに代えて、パッキン等を用いることもできる。この防虫部材は、外障子等の障子の縦框に接するようにして、防虫部材と障子の縦框との間を隙間なく閉じるようにしてもよいが、これに代えて、防虫部材と障子の縦框が接しないように、防虫部材と障子の縦框の間に僅かな隙間が生じるようにしても、この障子と網戸との間から虫等が室内に侵入してくるのを防ぐ効果を奏することができる。
【００２６】
また、上述の実施の形態では、移動自在な内障子４９を設けたが、この内障子４９に代えて、嵌め殺し部としてもよい。
また、上記実施の形態では、外障子４８および内障子４９を設けたが、これに代えて、外障子、中障子および内障子を設けるようにしてもよい。
また、上述の実施の形態では、本発明を２枚建ての引違いサッシに適用した場合について説明したが、本発明は、例えば、４枚建ての引違いサッシ等にも適用することができる。
【００２７】
【発明の効果】
以上説明したように、請求項１に記載の開口部装置および請求項３に記載の網戸によれば、網戸に中縦桟を設け、この中縦桟に防虫部材を設けたので、障子を開けて、障子が全閉でも全開でないときに、この障子と網戸との間から虫等が室内に侵入してくるのを防止することができる。
【００２８】
請求項２に記載の開口部装置および請求項４に記載の網戸によれば、網戸の左右両端部に中縦桟を設け、これらの中縦桟にそれぞれ防虫部材を設けたので、障子を少し開けたとき、および障子に引き残しが生じるときに、この障子と網戸との間から虫等が室内に侵入してくるのを防止することができる。
【図面の簡単な説明】
【図１】本発明の実施の形態に係る引違いサッシを示す横断面図であって、外障子が全閉の状態の図である。
【図２】同、外障子が少し開いている状態の図である。
【図３】同、外障子が引き残しの状態の図である。
【図４】本実施の形態に係る網戸を示す正面図である。
【図５】図４のＶ−Ｖ線に沿う拡大断面図である。
【図６】図４のＶＩ−ＶＩ線に沿う拡大断面図である。
【図７】本実施の形態に係る網戸の他の例を示す正面図である。
【図８】従来の引違いサッシを示す横断面図である。
【図９】従来の引違いサッシを示す縦断面図である。
【図１０】従来の網戸を示す正面図。
【図１１】従来の２枚建ての引違いサッシにおける虫の侵入を説明するための図である。
【図１２】従来の４枚建ての引違いサッシにおける虫の侵入を説明するための図である。
【符号の説明】
４３　　下枠
４４　　縦枠
４６　　枠体
４７　　網戸
４８　　外障子（障子）
５１　　上桟
５２　　下桟
５３、５４　　縦桟
５５　　網戸枠
５６　　網
５８、５９　　中縦桟
６３　　縦框
８８　　モヘア（防虫部材）
【図１】
2004137802.tif 000003
【図２】
2004137802.tif 000004
【図３】
2004137802.tif 000005
【図４】
2004137802.tif 000006
【図５】
2004137802.tif 000007
【図６】
2004137802.tif 000008
【図７】
2004137802.tif 000009
【図８】
2004137802.tif 000010
【図９】
2004137802.tif 000011
【図１０】
2004137802.tif 000012
【図１１】
2004137802.tif 000013
【図１２】
2004137802.tif 000014